(57)【特許請求の範囲】
【請求項１】
シーケンス指定装置であって、
ゲートウェイとの間で信号の送受信を行う交換機シミュレータと通信を行う手段と、
前記ゲートウェイとの間で信号の送受信を行うサーバシミュレータと通信を行う手段と
を備え、前記交換機シミュレータおよび前記サーバシミュレータの一方による前記ゲートウェイへの送信または前記ゲートウェイからの受信を検知した上で、前記交換機シミュレータおよび前記サーバシミュレータの他方に対して、前記ゲートウェイへの送信を指示することを特徴とするシーケンス指定装置。
【請求項２】
交換機シミュレータであって、
ゲートウェイとの間で信号の送受信を行う手段と、
前記ゲートウェイとの間で信号の送受信を行うサーバシミュレータと通信を行うシーケンス指定装置と通信を行う手段と
を備え、前記シーケンス指定装置からの指示に従って、前記ゲートウェイへの送信を行うことを特徴とする交換機シミュレータ。
【請求項３】
サーバシミュレータであって、
ゲートウェイとの間で信号の送受信を行う手段と、
前記ゲートウェイとの間で信号の送受信を行う交換機シミュレータと通信を行うシーケンス指定装置と通信を行う手段と
を備え、前記シーケンス指定装置からの指示に従って、前記ゲートウェイへの送信を行うことを特徴とするサーバシミュレータ。
【請求項４】
交換機シミュレータであって、
ゲートウェイとの間で信号の送受信を行う手段と、
前記ゲートウェイとの間で信号の送受信を行うサーバシミュレータと通信を行う手段と
を備え、前記ゲートウェイへの送信または前記ゲートウェイからの受信を行った上で、前記サーバシミュレータに対して、前記ゲートウェイへの送信を指示し、および／または前記サーバシミュレータによる前記ゲートウェイへの送信または前記ゲートウェイからの受信を検知した上で、前記ゲートウェイへの送信を行うことを特徴とする交換機シミュレータ。
【請求項５】
サーバシミュレータであって、
ゲートウェイとの間で信号の送受信を行う手段と、
前記ゲートウェイとの間で信号の送受信を行う交換機シミュレータと通信を行う手段と
を備え、前記交換機シミュレータからの指示に従って、前記ゲートウェイへの送信を行うことを特徴とするサーバシミュレータ。
【請求項６】
サーバシミュレータであって、
ゲートウェイとの間で信号の送受信を行う手段と、
前記ゲートウェイとの間で信号の送受信を行う交換機シミュレータと通信を行う手段と
を備え、前記ゲートウェイへの送信または前記ゲートウェイからの受信を行った上で、前記交換機シミュレータに対して、前記ゲートウェイへの送信を指示し、および／または前記交換機シミュレータによる前記ゲートウェイへの送信または前記ゲートウェイからの受信を検知した上で、前記ゲートウェイへの送信を行うことを特徴とするサーバシミュレータ。
【請求項７】
交換機シミュレータであって、
ゲートウェイとの間で信号の送受信を行う手段と、
前記ゲートウェイとの間で信号の送受信を行うサーバシミュレータと通信を行う手段と
を備え、前記サーバシミュレータからの指示に従って、前記ゲートウェイへの送信を行うことを特徴とする交換機シミュレータ。
【請求項８】
シーケンス指定装置における通信方法であって、
ゲートウェイとの間で信号の送受信を行う交換機シミュレータと通信を行うステップと、
前記ゲートウェイとの間で信号の送受信を行うサーバシミュレータと通信を行うステップと
を備え、前記交換機シミュレータおよび前記サーバシミュレータの一方による前記ゲートウェイへの送信または前記ゲートウェイからの受信を検知した上で、前記交換機シミュレータおよび前記サーバシミュレータの他方に対して、前記ゲートウェイへの送信を指示することを特徴とする通信方法。
【請求項９】
交換機シミュレータにおける通信方法であって、
ゲートウェイとの間で信号の送受信を行うステップと、
前記ゲートウェイとの間で信号の送受信を行うサーバシミュレータと通信を行うシーケンス指定装置と通信を行うステップと
を備え、前記シーケンス指定装置からの指示に従って、前記ゲートウェイへの送信を行うことを特徴とする通信方法。
【請求項１０】
サーバシミュレータにおける通信方法であって、
ゲートウェイとの間で信号の送受信を行うステップと、
前記ゲートウェイとの間で信号の送受信を行う交換機シミュレータと通信を行うシーケンス指定装置と通信を行うステップと
を備え、前記シーケンス指定装置からの指示に従って、前記ゲートウェイへの送信を行うことを特徴とする通信方法。
【請求項１１】
交換機シミュレータにおける通信方法であって、
ゲートウェイとの間で信号の送受信を行うステップと、
前記ゲートウェイとの間で信号の送受信を行うサーバシミュレータと通信を行うステップと
を備え、前記ゲートウェイへの送信または前記ゲートウェイからの受信を行った上で、前記サーバシミュレータに対して、前記ゲートウェイへの送信を指示し、および／または前記サーバシミュレータによる前記ゲートウェイへの送信または前記ゲートウェイからの受信を検知した上で、前記ゲートウェイへの送信を行うことを特徴とする通信方法。
【請求項１２】
サーバシミュレータにおける通信方法であって、
ゲートウェイとの間で信号の送受信を行うステップと、
前記ゲートウェイとの間で信号の送受信を行う交換機シミュレータと通信を行うステップと
を備え、前記交換機シミュレータからの指示に従って、前記ゲートウェイへの送信を行うことを特徴とする通信方法。
【請求項１３】
サーバシミュレータにおける通信方法であって、
ゲートウェイとの間で信号の送受信を行うステップと、
前記ゲートウェイとの間で信号の送受信を行う交換機シミュレータと通信を行うステップと
を備え、前記ゲートウェイへの送信または前記ゲートウェイからの受信を行った上で、前記交換機シミュレータに対して、前記ゲートウェイへの送信を指示し、および／または前記交換機シミュレータによる前記ゲートウェイへの送信または前記ゲートウェイからの受信を検知した上で、前記ゲートウェイへの送信を行うことを特徴とする通信方法。
【請求項１４】
交換機シミュレータにおける通信方法であって、
ゲートウェイとの間で信号の送受信を行うステップと、
前記ゲートウェイとの間で信号の送受信を行うサーバシミュレータと通信を行うステップと
を備え、前記サーバシミュレータからの指示に従って、前記ゲートウェイへの送信を行うことを特徴とする通信方法。
【発明の詳細な説明】
【０００１】
【発明の属する技術分野】
本発明は、シーケンス指定シミュレーション方式に関し、より具体的には、シーケンス指定装置、交換機シミュレータ、サーバシミュレータおよび通信方法に関する。
【０００２】
【従来の技術】
従来、ゲートウェイ（装置）に、交換機シミュレータおよびサーバシミュレータを接続して信号の送受信のシミュレーションが行われていた。
【０００３】
図１は、交換機・ゲートウェイ間およびゲートウェイ・サーバ間の実際の信号の送受信を説明するための図であり、図２は、交換機シミュレータ・ゲートウェイ間およびゲートウェイ・サーバシミュレータ間の信号の送受信（シミュレーション）を説明するための図である。
【０００４】
図1において、交換機１０は移動機４０と通信を行う一方、サーバ３０とは、パケット網５０、ゲートウェイ２０およびＴＣＰ（Transmission Control Protocol）ネットワーク６０を介して通信を行う。こうして、例えば、移動機４０はサーバからコンテンツの提供を受けることができる。
【０００５】
図２では、交換機・ゲートウェイ間およびゲートウェイ・サーバ間の信号の送受信をシミュレートするため、ゲートウェイ２０に、交換機シミュレータ１５およびサーバシミュレータ３５が接続されている。
【０００６】
図３は、交換機シミュレータ・ゲートウェイ間およびゲートウェイ・サーバシミュレータ間の信号の送受信の例を示す図である。まず、交換機シミュレータ１５がゲートウェイ２０にサーバシミュレータ３５との通信を要求したとする（図３のステップＳ５）。すると、ゲートウェイ２０は、サーバシミュレータ３５との間でＴＣＰ接続を確立する（Ｓ１０）。ＴＣＰ接続は、より具体的には、ゲートウェイ２０がサーバシミュレータ３５に接続要求（信号）を送ることにより行われる。次に、ゲートウェイ２０は、サーバシミュレータ３５にＨＴＴＰ（Hyper Text Transfer Protocol）に基づいてコンテンツの要求を行い（Ｓ１５）、交換機シミュレータ１５には通信要求についての応答を送信する（Ｓ２０）。サーバシミュレータ３５がゲートウェイ２０にコンテンツを送信すると（Ｓ２５）、ゲートウェイ２０はそのコンテンツを交換機シミュレータ１５に送信する（Ｓ３０）。交換機シミュレータはコンテンツを受信した旨の応答を送信する（Ｓ３５）。
【０００７】
図３のシミュレーションでは、サーバシミュレータ３５がゲートウェイ２０にコンテンツを送信（Ｓ２５）してから一定期間経過後に、サーバシミュレータ３５・ゲートウェイ２０間のＴＣＰ接続を切断するように設定されている（Ｓ４０）。ＴＣＰ接続を切断する際には、サーバシミュレータ３５からゲートウェイ２０に接続を切断する旨の通知を行う。ＴＣＰ接続が切断されると、ゲートウェイ２０は、交換機シミュレータ１５に通信終了要求を送信し（Ｓ４５）、交換機シミュレータ１５はゲートウェイ２０に応答する（Ｓ５０）。
【０００８】
【発明が解決しようとする課題】
しかしながら、現状のシミュレータ環境はシミュレータ装置間の同期がとれていない。すなわち、交換機シミュレータやサーバシミュレータは、信号を受信した時点でリアクション（送信）を開始したり、タイマを設定して受信した時点から一定期間経過後に送信したりしている。そのため、商用環境で起こりうる純正常シーケンスを作成することが困難である。
【０００９】
図４は、純正常シーケンスの例を示す図である。図４を図３と比較すると、図４ではＴＣＰ接続の切断（サーバシミュレータ３５による切断通知）を、ゲートウェイ２０によるコンテンツ送信（Ｓ３０）の後、交換機シミュレータ１５による応答（Ｓ３５）の前に行っている。
【００１０】
しかし、ＴＣＰ接続の切断をこのタイミングで行うことは、現状の方法（受信後すぐの送信や、タイマ設定による送信）では困難である。
【００１１】
そこで、本発明の目的は、交換機シミュレータ・ゲートウェイ間およびゲートウェイ・サーバシミュレータ間の信号の送受信において、交換機シミュレータ・サーバシミュレータ間で同期をとり、純正常シーケンスの作成を容易にすることである。
【００１２】
【課題を解決するための手段】
上記目的を達成するために、請求項１に記載の発明は、シーケンス指定装置であって、ゲートウェイとの間で信号の送受信を行う交換機シミュレータと通信を行う手段と、前記ゲートウェイとの間で信号の送受信を行うサーバシミュレータと通信を行う手段とを備え、前記交換機シミュレータおよび前記サーバシミュレータの一方による前記ゲートウェイへの送信または前記ゲートウェイからの受信を検知した上で、前記交換機シミュレータおよび前記サーバシミュレータの他方に対して、前記ゲートウェイへの送信を指示することを特徴とする。
【００１３】
請求項２に記載の発明は、交換機シミュレータであって、ゲートウェイとの間で信号の送受信を行う手段と、前記ゲートウェイとの間で信号の送受信を行うサーバシミュレータと通信を行うシーケンス指定装置と通信を行う手段とを備え、前記シーケンス指定装置からの指示に従って、前記ゲートウェイへの送信を行うことを特徴とする。
【００１４】
請求項３に記載の発明は、サーバシミュレータであって、ゲートウェイとの間で信号の送受信を行う手段と、前記ゲートウェイとの間で信号の送受信を行う交換機シミュレータと通信を行うシーケンス指定装置と通信を行う手段とを備え、前記シーケンス指定装置からの指示に従って、前記ゲートウェイへの送信を行うことを特徴とする。
【００１５】
請求項４に記載の発明は、交換機シミュレータであって、ゲートウェイとの間で信号の送受信を行う手段と、前記ゲートウェイとの間で信号の送受信を行うサーバシミュレータと通信を行う手段とを備え、前記ゲートウェイへの送信または前記ゲートウェイからの受信を行った上で、前記サーバシミュレータに対して、前記ゲートウェイへの送信を指示し、および／または前記サーバシミュレータによる前記ゲートウェイへの送信または前記ゲートウェイからの受信を検知した上で、前記ゲートウェイへの送信を行うことを特徴とする。
【００１６】
請求項５に記載の発明は、サーバシミュレータであって、ゲートウェイとの間で信号の送受信を行う手段と、前記ゲートウェイとの間で信号の送受信を行う交換機シミュレータと通信を行う手段とを備え、前記交換機シミュレータからの指示に従って、前記ゲートウェイへの送信を行うことを特徴とする。
【００１７】
請求項６に記載の発明は、サーバシミュレータであって、ゲートウェイとの間で信号の送受信を行う手段と、前記ゲートウェイとの間で信号の送受信を行う交換機シミュレータと通信を行う手段とを備え、前記ゲートウェイへの送信または前記ゲートウェイからの受信を行った上で、前記交換機シミュレータに対して、前記ゲートウェイへの送信を指示し、および／または前記交換機シミュレータによる前記ゲートウェイへの送信または前記ゲートウェイからの受信を検知した上で、前記ゲートウェイへの送信を行うことを特徴とする。
【００１８】
請求項７に記載の発明は、交換機シミュレータであって、ゲートウェイとの間で信号の送受信を行う手段と、前記ゲートウェイとの間で信号の送受信を行うサーバシミュレータと通信を行う手段とを備え、前記サーバシミュレータからの指示に従って、前記ゲートウェイへの送信を行うことを特徴とする。
【００１９】
請求項８に記載の発明は、シーケンス指定装置における通信方法であって、ゲートウェイとの間で信号の送受信を行う交換機シミュレータと通信を行うステップと、前記ゲートウェイとの間で信号の送受信を行うサーバシミュレータと通信を行うステップとを備え、前記交換機シミュレータおよび前記サーバシミュレータの一方による前記ゲートウェイへの送信または前記ゲートウェイからの受信を検知した上で、前記交換機シミュレータおよび前記サーバシミュレータの他方に対して、前記ゲートウェイへの送信を指示することを特徴とする。
【００２０】
請求項９に記載の発明は、交換機シミュレータにおける通信方法であって、ゲートウェイとの間で信号の送受信を行うステップと、前記ゲートウェイとの間で信号の送受信を行うサーバシミュレータと通信を行うシーケンス指定装置と通信を行うステップとを備え、前記シーケンス指定装置からの指示に従って、前記ゲートウェイへの送信を行うことを特徴とする。
【００２１】
請求項１０に記載の発明は、サーバシミュレータにおける通信方法であって、ゲートウェイとの間で信号の送受信を行うステップと、前記ゲートウェイとの間で信号の送受信を行う交換機シミュレータと通信を行うシーケンス指定装置と通信を行うステップとを備え、前記シーケンス指定装置からの指示に従って、前記ゲートウェイへの送信を行うことを特徴とする。
【００２２】
請求項１１に記載の発明は、交換機シミュレータにおける通信方法であって、ゲートウェイとの間で信号の送受信を行うステップと、前記ゲートウェイとの間で信号の送受信を行うサーバシミュレータと通信を行うステップとを備え、前記ゲートウェイへの送信または前記ゲートウェイからの受信を行った上で、前記サーバシミュレータに対して、前記ゲートウェイへの送信を指示し、および／または前記サーバシミュレータによる前記ゲートウェイへの送信または前記ゲートウェイからの受信を検知した上で、前記ゲートウェイへの送信を行うことを特徴とする。
【００２３】
請求項１２に記載の発明は、サーバシミュレータにおける通信方法であって、ゲートウェイとの間で信号の送受信を行うステップと、前記ゲートウェイとの間で信号の送受信を行う交換機シミュレータと通信を行うステップとを備え、前記交換機シミュレータからの指示に従って、前記ゲートウェイへの送信を行うことを特徴とする。
【００２４】
請求項１３に記載の発明は、サーバシミュレータにおける通信方法であって、ゲートウェイとの間で信号の送受信を行うステップと、前記ゲートウェイとの間で信号の送受信を行う交換機シミュレータと通信を行うステップとを備え、前記ゲートウェイへの送信または前記ゲートウェイからの受信を行った上で、前記交換機シミュレータに対して、前記ゲートウェイへの送信を指示し、および／または前記交換機シミュレータによる前記ゲートウェイへの送信または前記ゲートウェイからの受信を検知した上で、前記ゲートウェイへの送信を行うことを特徴とする。
【００２５】
請求項１４に記載の発明は、交換機シミュレータにおける通信方法であって、ゲートウェイとの間で信号の送受信を行うステップと、前記ゲートウェイとの間で信号の送受信を行うサーバシミュレータと通信を行うステップとを備え、前記サーバシミュレータからの指示に従って、前記ゲートウェイへの送信を行うことを特徴とする。
【００２６】
以上の構成によれば、交換機シミュレータ・ゲートウェイ間およびゲートウェイ・サーバシミュレータ間の信号の送受信において、純正常シーケンスの作成を容易にすることができる。
【００２７】
【発明の実施の形態】
以下、図面を参照しつつ本発明の実施の形態について詳しく説明する。
【００２８】
図５は、本実施形態における交換機シミュレータ・ゲートウェイ間およびゲートウェイ・サーバシミュレータ間の信号の送受信シミュレーションを行うためのシステムの例を示す図である。本システムには、ゲートウェイ１２０、交換機シミュレータ１１５およびサーバシミュレータ１３５の他に、交換機シミュレータ１１５やサーバシミュレータ１３５に信号の送信を指示することによりシーケンスを指定するシーケンス指定装置１７０が含まれる。シーケンス指定装置１７０は、交換機シミュレータ１１５およびサーバシミュレータ１３５と通信を行うことができ、交換機シミュレータ１１５およびサーバシミュレータ１３５の一方によるゲートウェイ１２０への送信またはゲートウェイ１２０からの受信を検知した上で、交換機シミュレータ１１５およびサーバシミュレータ１３５の他方に対して、ゲートウェイ１２０への送信を指示することができる。指示を受けた交換機シミュレータ１１５やサーバシミュレータ１３５はその指示に従ってゲートウェイ１２０への送信を行う。
【００２９】
図６は、交換機シミュレータ・ゲートウェイ間およびゲートウェイ・サーバシミュレータ間の信号の送受信（純正常シーケンス）の例を示す図である。図６に示す信号の送受信は、図４に示す信号の送受信と同じである。シーケンス指定装置１７０は、交換機シミュレータ１１５によるゲートウェイ１２０からの（コンテンツ）受信（Ｓ１３０）を検知すると、サーバシミュレータ１３５に対して、ゲートウェイ１２０に切断通知を送信する（Ｓ１３２）ように指示する。
【００３０】
このようにして、交換機シミュレータ１１５・サーバシミュレータ１３５間で同期をとることができるので、純正常シーケンスの作成が容易になる。
【００３１】
シーケンス指定装置１７０の機能は、交換機シミュレータ１１５またはサーバシミュレータ１３５に備えさせることもできる。
【００３２】
図７は、本実施形態における交換機シミュレータ・ゲートウェイ間およびゲートウェイ・サーバシミュレータ間の信号の送受信シミュレーションを行うためのシステムの別の例を示す図である。図７のシステムにおいては、交換機シミュレータ１１６にシーケンス指定装置１７０の機能を備えさせている。
【００３３】
交換機シミュレータ１１６は、サーバシミュレータ１３６と通信を行うことができ、ゲートウェイ１２０への送信またはゲートウェイ１２０からの受信を行った上で、サーバシミュレータ１３６に対して、ゲートウェイ１２０への送信を指示することができる。指示を受けたサーバシミュレータ１３６はその指示に従ってゲートウェイ１２０への送信を行う。
【００３４】
また、交換機シミュレータ１１６は、サーバシミュレータ１３６によるゲートウェイ１２０への送信またはゲートウェイ１２０からの受信を検知した上で、ゲートウェイ１２０への送信を行うこともできる。
【００３５】
なお、サーバシミュレータにシーケンス指定装置の機能を備えさせた場合も以上と同様である。
【００３６】
【発明の効果】
以上説明したように本発明によれば、交換機シミュレータ・ゲートウェイ間およびゲートウェイ・サーバシミュレータ間の信号の送受信において、純正常シーケンスの作成を容易にすることができる。
【図面の簡単な説明】
【図１】交換機・ゲートウェイ間およびゲートウェイ・サーバ間の実際の信号の送受信を説明するための図である。
【図２】交換機シミュレータ・ゲートウェイ間およびゲートウェイ・サーバシミュレータ間の信号の送受信を説明するための図である。
【図３】交換機シミュレータ・ゲートウェイ間およびゲートウェイ・サーバシミュレータ間の信号の送受信の例を示す図である。
【図４】純正常シーケンスの例を示す図である。
【図５】本発明の実施形態における交換機シミュレータ・ゲートウェイ間およびゲートウェイ・サーバシミュレータ間の信号の送受信シミュレーションを行うためのシステムの例を示す図である。
【図６】交換機シミュレータ・ゲートウェイ間およびゲートウェイ・サーバシミュレータ間の信号の送受信（純正常シーケンス）の例を示す図である。
【図７】本発明の実施形態における交換機シミュレータ・ゲートウェイ間およびゲートウェイ・サーバシミュレータ間の信号の送受信シミュレーションを行うためのシステムの別の例を示す図である。
【符号の説明】
１０  交換機
１５、１１５、１１６  交換機シミュレータ
２０、１２０  ゲートウェイ
３０  サーバ
３５、１３５、１３６  サーバシミュレータ
４０  移動機
５０  パケット網
６０  ＴＣＰネットワーク
１７０  シーケンス指定装置
【図１】
0003765392.tif 000002
【図２】
0003765392.tif 000003
【図３】
0003765392.tif 000004
【図４】
0003765392.tif 000005
【図５】
0003765392.tif 000006
【図６】
0003765392.tif 000007
【図７】
0003765392.tif 000008